(57)【要約】【課題】使い捨ておむなどの吸収性物品における吸収性パッド等の吸収性パッドの取り替えを容易に行う。【解決手段】前記おむつ本体２０は、腹側部及び股下部にそれぞれ開孔２２ａ、２２ｂを有し、これらの開孔２２ａ、２２ｂを通して、尿取りパッド３０の出し入れを行う。尿取りパッド３０の端部には紐３６が設けられており、他の尿取りパッド３０の紐３６と連結することで、交換時に使用済み尿取りパッド３０を開孔２２ａから引き出すことで未使用の尿取りパッド３０をおむつ本体２０中に引き込みセットすることができる。【選択図】          図３
2006116141.tif 000002
【特許請求の範囲】
【請求項１】
着用者の腹側に位置する腹側部と、背側に位置する背側部と、腹側部と背側部に位置し着用者の股下に位置する股下部とからなる外包体と、該外包体の股下部近傍に配置される吸収性パッドとを備えた吸収性物品であって、
前記外包体は複数の開孔を有し、
前記吸収性パッドは前記開孔を通して外包体に出し入れ自在であり、かつ他の吸収性パッドと連結するための連結手段を備えていることを特徴とする吸収性物品。
【請求項２】
着用者の腹側に位置する腹側部と、背側に位置する背側部と、腹側部と背側部に位置し着用者の股下に位置する股下部とからなる外包体と、該外包体の近傍に配置される吸収性パッドとを備えた吸収性物品であって、
前記外包体は着用者の体液を直接吸収性パッドに吸収させるための開口を有し、かつ該開口をその外面から覆い、かつその長手方向両端部に前記吸収体パッドの出入可能な隙間を残して接合したシート材を備え、
前記吸収性パッドは他の吸収性パッドと連結するための連結手段を備えていることを特徴とする吸収性物品。
【請求項３】
請求項２に記載された吸収性物品において、
前記外包体は、それぞれ長手方向に延在し、着用者の体液を直接吸収性パッドに吸収させるための開口を有するセンターシートと、該センターシートの内面側縁部に沿って接合された側部シートを備えたことを特徴とする吸収性物品。
【請求項４】
請求項１ないし３のいずれかに記載された吸収性物品において、
前記連結手段が吸収性パッドの長手方向両端部に設けた紐又は帯状体であることを特徴とする吸収性物品。
【請求項５】
請求項１ないし３のいずれかに記載され吸収性物品において、
前記連結手段が吸収性パッドの裏面及び表面に設けた機械式ファスナー手段であることを特徴とする吸収性物品。
【請求項６】
請求項１ないし５に記載された吸収性物品において、
吸収性パッド裏面にずれ防止用の固着手段を備えたことを特徴とする吸収性物品。
【発明の詳細な説明】
【技術分野】
【０００１】
本発明は、排尿の処理等に伴う労力的、精神的及び経済的な負担を軽減できる吸収性物品、とくに吸収性パッド（失禁パッド）、生理用パッド等の吸収性パッドを備えた吸収性物品に関するものである。
【背景技術】
【０００２】
おむつの交換作業、とくに身体の自由が利かず介護を必要とする老人や病人などのおむつの取り替えは、例えば、図１６に示すように、体を横向きにして汚れたおむつを介護者が着用者の身体の下から引き出し、次に新しいおむつを引き込んで装着するようにしているため、とくに重労働であり、それを毎日何回も繰り返すことは精神的にもきつい作業である。
また、おむつの交換は排尿に伴ってその一部が汚れた場合でもおむつ全体を交換するため、その経済的負担が大きいばかりではなく廃棄物の量が増大するという問題もある。
【０００３】
そこで、おむつに補助吸収体（又は吸収性パッド）を併用して、排尿のあったときは、これを補助吸収体で吸収してこの補助吸収体のみを取り替え可能とし、おむつの交換は、排便時などおむつ自体が汚れた時のみ行なうようにしたものが開発されている。
しかしながら、補助吸収体をおむつの内表面側に配置しただけでは、その交換のために、一旦おむつを外して汚れた補助吸収体を取り出すことが必要で、おむつ全体を交換するものに比べて経済的には有利ではあるが、その交換に要する労力的或いは精神的負担はとくに軽減されるわけではなく、問題を完全に解決し得るものではなかった。
【０００４】
そこで、この問題を解決すべく、おむつを外さずに補助吸収体のみを取り替えできるように、使い捨てパンツの前部中央に開口を設け、その開口を開閉可能なシート状の蓋部材で覆う構成とし、補助吸収体の取替えは、その蓋部材を開いておむつ本体の開口から汚れた補助吸収体を取り出し、未使用のものをおむつ内に配置できるようにしたものが開発されている（特許文献１参照）。
【０００５】
また、おむつの前部又は後部パネルにアパーチャを形成し、このアパーチャに複数のパネル部材（補助吸収体）を収容した後部シートにポケットを固定し、おむつ中央部で吸収した体液を吸収するための複数のパネル部材を収容し、各パネル部材は図示しない引っ張りタブを引っ張ることにより、体液で飽和したパネル部材を一枚ずつ前記ポケットから引き出し、代わりに未使用のパネル部材を露出させるようにしたものも知られている（特許文献２参照）。
【０００６】
更に、補助吸収体の取り替えを一層容易にするため、取り替え用の補助吸収体をおむつ内に設けずに外付けとしたものも提案されている（特許文献３）。これは、前身頃、後見頃及び両者間に位置する股下部からなり、前見頃と後見頃とが両側部で相互に接合される構造の使い捨てパンツにおいて、前記股下部に股下開口を設け、この股下開口を外側から塞ぐように、パンツ本体に対して着脱自在に取り付けられる吸収性パッドを備えている。この構成において、パンツ本体の股下開口の内側面に備えた左右側部の第１係合部材を吸収性パッドの外面側に係合固定する。
【０００７】
同様に補助吸収体を外付けするものとして、吸収性パッドをパンツ本体に対して着脱自在に取り付けたパンツ型の補助具と外装吸収部とから構成し、前記パンツ型の補助具には部分的に通液部が形成された吸収体が配置され、外装吸収部は補助具の外表面側に止着し、外層吸収部に対する液の移行を安定的に行い、外装吸収部に排尿があったとき、これをパンツ型補助具から外して取り替えるようにしている。（特許文献４参照）
【０００８】
しかしながら、特許文献１に記載された使い捨てパンツでは、そもそも股間は狭いので補助吸収体を取り替えるのは容易ではなく、また、補助吸収体を股間から尿が染み出さないように取り付けることも困難である。
また、特許文献２に記載されたおむつ（吸収性物品）では、尿を吸収したパネル部材を前記ポケットから一つずつ引き出すだけで未使用のパネル部材と交換することができ、特許文献１に記載されたもののようにその都度補助吸収体をおむつ内にセットする必要はない。しかし、予め、交換するパネル部材を設定することが必要となるばかりか、パネル部材が過剰になったり不足したりする問題がある。
【０００９】
更に、特許文献３に記載されたおむつは、補助吸収体を外側から取り付けるが、股間は狭くかつ、取り付け時に補助吸収体の一部を開口内に入れるため取り付け難い。また、取り付けても開口周縁は濡れて不衛生となるだけではなく、開口の隙間から尿が染み出すおそれがある。
【００１０】
特許文献４に記載されたおむつ（吸収性物品）は、外装吸収部を補助具の外側から取り付けるため、取り替えは容易であるが、尿は、補助具の吸収体を通して外装吸収部に吸収されるため、外装吸収部を取り替えても吸収体は尿が付着したままの状態となり不衛生である。
更に、排尿があった場合に、補助具の吸収体と外装吸収体の両方が濡れるために、その両方を交換しなければならないので不経済である。
【特許文献１】特開平９−９５８０４号公報
【特許文献２】特表２００２−５０９４６１号公報
【特許文献３】特開２００３−３０５０８０号公報
【特許文献４】特願２００２−３５１７７０号公報
【発明の開示】
【発明が解決しようとする課題】
【００１１】
本発明は、従来の補助吸収体と組み合わせたおむつ等の吸収性物品が有する前記問題を解決するためになされたものであって、その目的は、吸収性パッドの取り替えを（股間部であっても）容易に行えるとともに、かつ従来のように尿が吸収性物品であるおむつ本体や下着などの着用者の下腹部を直接包むもの（ここでは外包体という）から染みだすことがなく、かつ衛生的な吸収性物品を提供することである。
【課題を解決するための手段】
【００１２】
請求項１の発明は、着用者の腹側に位置する腹側部と、背側に位置する背側部と、腹側部と背側部に位置し着用者の股下に位置する股下部とからなる外包体と、該外包体の股下部近傍の内側に配置される吸収性パッドとを備えた吸収性物品であって、前記外包体は複数の開孔を有し、前記吸収性パッドは前記開孔を通して外包体に出し入れ自在であり、かつ他の吸収性パッドと連結するための連結手段を備えていることを特徴とする。
請求項２の発明は、着用者の腹側に位置する腹側部と、背側に位置する背側部と、腹側部と背側部に位置し着用者の股下に位置する股下部とからなる外包体と、該外包体の股下部近傍に配置される吸収性パッドとを備えた吸収性物品であって、前記外包体は着用者の体液を直接吸収性パッドに吸収させるための開口を有し、かつ該開口をその外面から覆い、かつその長手方向両端部に前記吸収体パッドの出入可能な隙間を残して接合したシート材を備え、前記吸収性パッドは他の吸収性パッドと連結するための連結手段を備えていることを特徴とする。
請求項３の発明は、請求項２に記載された吸収性物品において、前記外包体は、それぞれ長手方向に延在し、着用者の体液を直接吸収性パッドに吸収させるための開口を有するセンターシートと、該センターシートの内面側縁部に沿って接合された側部シートを備えたことを特徴とする。
請求項４の発明は、請求項１ないし３のいずれかに記載された吸収性物品において、前記連結手段が吸収性パッドの長手方向両端部に設けた紐又は帯状体であることを特徴とする。
請求項５の発明は、請求項１ないし３のいずれかに記載され吸収性物品において、前記連結手段が吸収性パッドの裏面及び表面に設けた機械式ファスナー手段であることを特徴とする。
請求項６の発明は、請求項１ないし５に記載された吸収性物品において、吸収性パッド裏面にずれ防止用の固着手段を備えたことを特徴とする。
【００１３】
（作用）
本発明によれば、外包体に配置した吸収性パッドを取り出すのに、それに取り付けた連結手段を用いて未使用の吸収性パッドを使用済みの吸収性パッドに連結させ、その上で使用済みの吸収性パッドを外包体に設けた開孔を通して引き出すことで、未使用の吸収性パッドを外包体の所定の位置にまで引き込み、吸収性パッドの取り替えを行うことができる。
【発明の効果】
【００１４】
本発明によれば、使用済みの吸収性パッドを外包体の開孔から単に引き出すだけで未使用の吸収性パッドを外包体内の予定の位置まで引き込むことができる。しかも着用者を仰向けにした状態で吸収性パッドの交換作業を行うことができるため、従来のように着用者を作業中に横向きにするなどの身体の移動を最小にでき、作業者及び着用者の両方にとって負担を大幅に軽減することができる。
また、吸収性パッドを固定するため吸収性パッドがずれたり又ははずれたりすることがなく、漏れ等の防止ができる。
更に、吸収性パッドの取り替えを行うことで、外包体の取り替え回数を減らすことができるから、経済的でありかつゴミの減量、省資源等にも寄与することができる。
【発明を実施するための最良の形態】
【００１５】
以下、本発明の吸収性物品をその１実施形態について図面を参照して説明する。
図１は、本発明の外包体の１実施形態である使い捨ておむつ本体の展開図であり、図２Ａは吸収性パッドの１実施形態である尿取りパッドの斜視図、図２Ｂはその断面図である。
本実施形態に係る使い捨ておむつは、図１に示すおむつ本体２０と、図２に示すおむつ本体２０内に配置される尿取りパッド３０とからなっている。
【００１６】
おむつ本体２０は、図１に示すように、着用時に着用者の腹側に位置する腹側部Ａと、着用者の背側に位置する背側部Ｂと、腹側部Ａと背側部Ｂとの間に位置し、着用持に着用者の股下部に位置する股下部Ｃとからなり、腹側部Ａと背側部Ｂそれぞれの両側部同士が接合手段により相互に接合されて、ウエスト開口部及び一対のレッグ開口部が形成される。
前記おむつ本体２０の腹側部Ａ及び股下部Ｃには、図示のような横方向開孔２２ａ、２２ｂ、がその長手方向に間隔を隔てて配置されている。
この開孔２２ａ、２２ｂは、それぞれ後述する尿取りパッド３０の引き出し口となる開孔２２ａ及び引き込み口となる開孔２２ｂを構成している。
【００１７】
おむつ本体２０は、それぞれ液透過性の表面シート２５ａ、撥水性又は液不透過性の裏面シート２５ｂ及び両シート間に介在された液保持性の吸収体２４から成り、前記吸収体２４は、股下部分から腹側部Ａ及び背側部Ｂに及んでいる。また、前記表面シート２５ａ及び裏面シート２５ｂには、ウエストギャザー、レッグギャザー形成用の弾性部材が、それぞれ伸張状態で固定されている。
【００１８】
尿取りパッド３０は平面視略矩形を成し、吸収体３４を液透過性表面シート３５ａと撥水性又は液不透過性の裏面シート３５ｂで覆い、前記表面シート３５ａと裏面シート３５ｂの端部を周知の接着手段で接着して周囲をシールした構成である。
この尿取りパッド３０は、その長手方向両端部に連結手段となる紐３６を備えている。即ち、例えば図２Ａに示すように、尿取りパッド３０の長手方向両端部から連結手段となる紐３６が延出している。この紐３６は、図２Ｂに示すように、尿取りパッド３０中を、吸収体３４と裏面シート３５ｂの間を通って、前記長手方向の一端側から他端側にまで延びた一連のものとして構成されている。勿論、各端部に個別に取り付けたものでもよい。
【００１９】
なお、尿取りパッド３０を構成する吸収体３４、表面シート３５ａ、及び裏面シート３５ｂは、従来の使い捨ておむつや生理用ナプキン等の吸収性物品において用いられている液透過性の表面シート、撥水性又は液不透過性の裏面シート及び吸収体をそのまま用いることができる。また、紐３６は尿取りパッド３０の先端部又は後端部の中央部に１本取り付けるものであっても、或いは先端又は後端部の両側に１本ずつ計２本取り付けても、或いはそれ以上取り付けても任意である。
【００２０】
図３は、使い捨ておむつ本体２０に尿取りパッド３０を配置して着用した状態を示す断面図である。
図示のように、前記おむつ本体２０にはその腹側部Ａには尿取りパッド３０の引き出し口となる開孔２２ａがまた、股下部には尿取りパッド３０の引き込み口となる開孔２２ｂが形成されている。
尿取りパッド３０は、使い捨ておむつ本体２０中で、前記開孔２２ａと２２ｂとの間にセットされ、その先端部から延出した紐３６の先端が開孔２２ａから外に引き出されている。他方、尿取りパッド３０の後端から延びた紐３６は、前記おむつ本体２０の股下部Ｃに設けた開孔２２ｂから外方に延びている。
【００２１】
図４は、前記紐３６を結んで尿取りパッド３０同士を連結した状態を示す断面図である。この図は、おむつ本体２０中の使用済み尿取りパッドを取り替えるため、その引き込み開孔２２ｂから外方に延びた紐３６に未使用の尿取りパッド３０の紐３６を結び付けた状態を模式的に示したものである。
【００２２】
尿取りパッド３０を取り替えるためには、まず、図４に示すようにおむつ本体２０に装着された尿取りパッド３０の後端（図４中、右方向後端）の紐３６と、未使用の尿取りパッド３０の紐３６とを結び連結する。その状態で、次ぎに、引き出し口となる開孔２２ａから引き出された紐３６を引くか、又は開孔２２ａから直接手を差し込んで使用済みの尿取りパッド３０を引き出すかすると、それに連結された未使用の尿取りパッド３０を前記開孔２２ｂからおむつ本体２０内を所定の位置まで引き込み、セットすることができる。その後、使用済みの尿取りパッド３０と未使用の尿取りパッド３０との連結を解く。
【００２３】
図５は、尿取りパッド３０の別の実施形態を示す斜視図である。
この尿取りパッド３０はその先端近傍の裏面及び後端近傍の表面に、例えば雄型としてのフック３８ａ、雌型としてのループ３８ｂからなる機械式ファスナー（ファスナーテープ）が尿取りパッド３０の巾方向に設けられている。特に、尿取りパッド３０の表面側に雌型、裏面側に雄型を設けることで、尿取りパッド３０の交換作業の際に雄型フックが肌に触れにくいので好ましい。
【００２４】
この尿取りパッド３０の交換は、例えば、おむつ本体２０の引き込み開孔２２ｂから手で差し込んで、おむつ本体２０中にセットされた尿取りパッド３０の後端部の表面シート上に取り付けられた雌型ファスナー３８ａに、未使用の尿取りパッドの先端部の裏面シート上に取り付けた雄型ファスナー３８ｂを接合する。続いて、取り出し開孔２２ａから手を差し込んで、使用済みの尿取りパッド３０を引き出し、未使用の尿取りパッド３０が所定の位置にきたところで、使用済み尿取りパッド３０と未使用尿取りパッド３０とのファスナーの係合を外し、使用済み尿取りパッドを前記引き出し開孔２２ａから取り出すことで完了する。
【００２５】
なお、このように機械式ファスナーで尿取りパッド同士を直接連結するだけではなく、例えば、同様の機械式ファスナーを備えた帯材等の補助具を介して連結して尿取りパッドの交換を行うこともできる。
【００２６】
以上のように、尿取りパッド３０をおむつ本体２０内の所定の位置に配置したとき、その位置に固定することができる。即ち、おむつ本体の表面シートを機械式ファスナーの雌材として機能する例えば親水性不織布で構成し、尿取りパッド３０の先端側裏面に設けた雄型ファスナーを、おむつ本体２０の表面に軽く押圧することで、前記不織布の表面に固定することができる。
【００２７】
また、尿取りパッド３０のおむつ本体２０に対する固定手段としては、予め尿取りパッド裏面に粘着剤を付与しその上に剥離紙を取り付け、尿取りパッド３０がおむつ本体２０内の所定位置に達したときに、剥離紙を外しておむつ本体２０の表面シート上に貼り付けて固定することもできる。
【００２８】
更に、おむつ本体２０側に予め機械式ファスナーを取り付けておき、それを尿取りパッド３０の裏面側に予め取り付けておいた機械式ファスナーに係合させることで、尿取りパッド３０を所定位置に固定することもできる。また、おむつ本体２０側に予め雄型ファスナーを取り付けておき、尿取りパッド３０の裏面シート３５ｂを機械式ファスナーの雌材として機能する撥水性の不織布で構成することで、尿取りパッド３０を所定位置に固定できる。
【００２９】
次に、使い捨ておむつ本体の別の実施形態について説明する。
図６Ａは別の実施形態の使い捨ておむつ本体２０の平面図であり、かつ図６Ｂは図６ＡのＸ−Ｘ線における断面図、図６Ｃは着用状態における断面図であり、いずれも模式的に示したものである。
この使い捨ておむつ３０は、図６Ａに示すように、左右のサイドシート２０ａ，２０ｂと、図６Ｂに示すように前記サイドシート２０ａ、２０ｂの表側に備えた粘着剤２０ｄにより、それぞれのサイドシート２０ａ、２０ｂの側端部に連結された中央のセンターシート２０ｃからなっており、センターシート２０ｃには開口２１が形成されている。
また、図６Ｃに示すように、おむつ本体２０外面に蓋シート２３が接合され、この蓋シート２３とおむつ本体２０の裏面シートとの間の長手方向端部の一方の隙間２２ａを例えば尿取りパッド３０の引き出し口（開孔）とし、他方の隙間２２ｂを引き込み口（開孔）として、尿取りパッド３０を前記開口２１に合わせてセットする。
【００３０】
また、図６Ｄのごとくセンターシート２０ｃを前後に分割して、それぞれサイドシート２０ａ、２０ｂに接合することで開口２１を形成させることができる。
図６Ｅは、液透過性の表面シート２０ｅをおむつ本体の内面側に接合し、センターシート２０ｃおよび表面シート２０ｅの間に尿取りパッド３０を挿入することがきるようにしたものである。更に、撥水性不織布などを用いてサイドシート２０ｆを、サイドシート２０ａ、２０ｂ及びセンターシート２０ｃに接合しておむつ本体を構成することができ、更にサイドシート２０ｆ先端部に弾性材２０ｇを付与することによりサイドシートをギャザーリングしてもよい。
図６Ｆに示す蓋シート２３および表面シート２０ｅをおむつ本体長手方向に接合２０ｈすることにより尿取りパッドを左右に分割して挿入することができるようにしてもよい。
【００３１】
図７は更に他の実施形態に係るおむつ本体２０を模式的に示した展開平面図である。
このおむつ本体２０は、図６に記載されたものが３枚のシートを張り合わせた構造であるのに対し、一枚のシートで構成されている点で相違するが、その他の点では格別相違しない。
図６に関連して説明したと同様に、図７に示した開口２１を覆うため、おむつ本体２０外面に蓋シート２３が接合され、この蓋シート２３とおむつ本体２０の裏面シートとの間の長手方向端部の一方の隙間２２ａを例えば尿取りパッド３０の引き出し口とし他方の隙間２２ｂを引き込み口として、尿取りパッド３０を前記開口２１に合わせてセットする。
【００３２】
以上、いずれの実施形態においても、蓋シート２３の長手方向に沿った長さは、漏れ防止の点から尿取りパッド３０の長さよりも長くすることが好ましい。
なお、図６及び図７に示すおむつ本体２０において、尿取りパッド３０を固定する方法は、予め機械式ファスナーを前記蓋シートに取り付けておくことで尿取りパッド３０を前記蓋シート２３の内面に固定するか、又は、前記蓋シート２３の表面を不織布で構成し、尿取りパッドに取り付けた雄型ファスナーと係合させることによって固定する方法が考えられる。
【００３３】
使用済み尿取りパッド３０は、おむつ本体の前部側から手で取り出され、同時に連結手段により連結された未使用パッド３０が股下側から引き込まれて所定位置にセットされて、ずれたり外れたりしないように固定される。
【００３４】
以上の実施形態では、おむつ本体に主に一個の尿取りパッド３０をセットする場合について説明したが、複数の、典型的には二個の小さい尿取りパッド３０をおむつ本体２０内に並置してセットする場合、おむつ本体の前記各開孔２２ａ、２２ｂ間でおむつ本体２０を構成する開孔を有さない表面シート２５ａと開孔を有する裏面シート２５ｂを接合して接合ラインを形成し、このラインでおむつ本体２０を縦に分離する構成とすることができる。
【００３５】
この構成を採ることによって、例えば、二個の尿取りパッド３０のうち、一方のみが汚れたときは、その一方のみを取り替えることができ、経済性及び省資源等の見地から好ましい使い捨ておむつを提供することができる。また、尿取りパッドを例えば左右に分離することで、使用時に狭くなっているクロッチ部分の上半分のみ広げることにより簡単に引き抜いて次の尿取りパッドと交換することができる。
また、以上の説明では、開孔２２ａを尿取りパッド３０の引き出し口とし、開孔２２ｂを引き込み口として説明したが、その逆であってもよい。
【００３６】
以上の説明において、例えば図３に示したように、尿取りパッド３０の引き出し口２２ａと引き込み口２２ｂとをおむつ本体２０の腹側部Ａ及び股下部Ｃに設けたものは、腹側部Ａから股下部Ｃまでの広い範囲をカバーする尿取りパッド３０が使用可能であり、それによって排出される尿、便などの体液を効果的に吸収させることができ、また、性別に拘わりなく使用可能でもあるから最も好ましい。
おむつ本体２０を女性専用とするときは、尿取りパッド３０は股下部Ｃのみをカバーすればよいから、その引き出し口２２ａと引き込む口２２ｂも股下部分Ｃに設け、また、男性専用とするときは、尿取りパッド３０は腹側部Ａのみに配置すればよいから、その引き出し口２２ａと引き込む口２２ｂも前記腹側部側Ａのみに設ければよい。
【００３７】
次に、以上で説明した前記使い捨ておむつ本体２０を製造する一方法について説明する。
図９は、おむつ本体２０に用いる基材ウエブ４０を提供する工程である。間隔をあけて並列する２つのウエブ４５ａおよび４５ｂそれぞれの内側端部に連続ウエブ４５ｃの外側端部が重なるように連続ウエブ４５ｃを供給するとともに、接着剤６０をウエブ４５ａおよびウエブ４５ｂの外面側に塗布して該ウエブ４５ａおよび４５ｂと該ウエブ４５ｃを接着固定する。
【００３８】
図１０は、開口２１を形成させる工程を示している。該ウエブ４５ｃにアンビルロール５０と対向して突出したカッティングエッジ４８を備えたカッターロール４６で該ウエブ４５ｃに開口２１を形成させる。
【００３９】
図１１は、レッグ部を切除する工程を示している。アンビルロール５０ｂと対向して突出したカッティングエッジ４８ｂを備えたカッターロール４６ｂで該ウエブ４５ａにレッグ部２５を形成させる。
さらに蓋シート２３を接合する(図示せず)ことでおむつ本体２０を形成することができる。
【００４０】
図１２は、おむつ本体２０のウエブ４５、４５ｂ、４５ｃを固定した基材ウエブ４０をカットする工程を示したものである。アンビルロール５０ｃと対向して突出したカッティングエッジ４８ｃを備えたカッターロール４６ｃで該基材ウエブ４０をおむつ本体２０の長さにカット形成させる。
【００４１】
図１１に示された工程の後、液透過性の表面シート２０ｅを接合しおむつ本体２０とすることできる。また、図９で供給する連続ウエブ４５ａ、４５ｂ、および４５ｃとして、例えば予めポリエチレンなどのフィルムに不織布などを積層一体化したウエブを用いることができる。
【００４２】
さらには連続ウエブ４５ａおよび４５ｃを提供する際に図１３について後述するように、カットした後、図１４のごとく左右を置き換え、フラップ部の位相を合わせることによりレッグ部のトリムを出すことなしに該ウエブ４５ａおよび４５ｃを準備し、これらの該ウエブ同士の間隔を適切に配置して(図示せず）図９の工程に提供することでレッグ部を切除した基材ウエブ４０を得ることができる。
一方、開口２１のトリムをなくすためにウエブ４５ｃを、図６Ｄの開口２１に該当する部位を形成させるように間欠で供給することによりトリムなくして開口２１を形成することができる。
【００４３】
即ち、図１３は、例えばポリエチレンウエブ４５を切断して裏面シートとなるストリップを形成する工程を示す。この工程では、アンビルロール５０と対向して突出したカッティングエッジ４８を備えたカッターロール４６で連続ポリエチレンウエブ４５をストリップ４５ａ、４５ｂに切断する。
【００４４】
図１４では、切断工程で切断されたストリップ４５ａ、４５ｂを組立直して複合ウエブとする工程を示している。ここでは、切断したストリップの一方のストリップ４５ａをロール５２，５４，５６及び５８の配置により、他方のストリップ４５Ｂに対してコンベアー面の上方に移動させる。また、それと同時に、ストリップ４５ａを横方向に移動し、平面視でストリップ４５ｂを横切り、ストリップ４５ａをコンベアー面上で他方のストリップ４５ｂと接触させた時、両ストリップ４５ａ、４５ｂの切断端と反対側の直線の端が互いに隣接するようにし、かつストリップ４５ｂの横の移動は、ストリップが部分的に重なった関係となるよう制御する。
【００４５】
以上で説明した使い捨ておむつ本体の製造方法以外の方法として、例えば、図１５に示すように、ロールから切り出されたシート片２０を用い、そこからレッグ部を切除し、更に、開口２１を切除してその上に蓋シート２３を接合し、図中上下に吸収性パッドの出し入れ用の開孔となる隙間を残して接合する。
【００４６】
以上の各製法で形成された使い捨ておむつ本体の部材を用い、例えば、その素材の吸収性パッド取り付け部に開口を形成し、その取り付け部に蓋となるシートで覆うように取り付けることでおむつ本体を完成させることができる。
【００４７】
なお、使い捨ておむつ本体２０に吸収体を用いず、裏面シート及び表面シートを接合してもよい。この場合、使い捨ておむつ本体自体は吸収性を持たないが、吸収性物品としては、吸収性パッドで十分な吸収性を維持することができる。
さらに、図８のごとく背側部に軟便などを吸収させるために吸収体１００を配置したり、尿が吸収体１００に接触しないように撥水性不織布などでギャザー１１０を形成することもできる。
【図面の簡単な説明】
【００４８】
【図１】図１は本発明の吸収性物品の１実施形態を示す使い捨ておむつにおけるおむつ本体の展開図である。
【図２】図２Ａは尿取りパッドの斜視図、図２Ｂはその断面図である。
【図３】使い捨ておむつの着用状態を示す断面図である。
【図４】尿取りパッド同士を連結した状態における断面図である。
【図５】別の実施形態に係る尿取りパッドの斜視図である。
【図６】別の実施形態に係るおむつ本体をそれぞれ模式的に示す平面図、図６Ｂは図６ＡにおけるＸ−Ｘ線に沿った断面図、図６Ｃは着用状態を示す断面図、６Ｄはさらに別のおむつ本体の平面図、６Ｅ、６Ｆはさらに別のおむつ本体の断面図である。
【図７】さらに別の実施形態に係るおむつ本体を模式的に示す展開平面図である。
【図８】さらに別の実施形態に係るおむつ本体の着用時における断面図である。
【図９】おむつ本体に用いる基材ウエブを提供する工程を説明するための図である。
【図１０】開口部を形成させる工程を説明するための図である。
【図１１】レッグ部を切除する工程を説明するための図である。
【図１２】おむつ本体の基材ウエブをカットする工程を説明するための図である。
【図１３】ウエブ切断工程を説明するための図である。
【図１４】切断したウエブの整合工程を示す図である。
【図１５】おむつ本体の別の製造工程を示す図である。
【図１６】従来のおむつの取り替えを説明する図である。
【符号の説明】
【００４９】
２０・・・おむつ本体、２１・・・開口、２２ａ・・・引き出し開孔、２２ｂ・・・引き込み開孔、２３・・・蓋シート、３０・・・吸収性パッド、３６・・・連結用紐。
【図１】
2006116141.tif 000003
【図２】
2006116141.tif 000004
【図３】
2006116141.tif 000005
【図４】
2006116141.tif 000006
【図５】
2006116141.tif 000007
【図６】
2006116141.tif 000008
【図７】
2006116141.tif 000009
【図８】
2006116141.tif 000010
【図９】
2006116141.tif 000011
【図１０】
2006116141.tif 000012
【図１１】
2006116141.tif 000013
【図１２】
2006116141.tif 000014
【図１３】
2006116141.tif 000015
【図１４】
2006116141.tif 000016
【図１５】
2006116141.tif 000017
【図１６】
2006116141.tif 000018